(57)【要約】  空間時間ブロック符号化を用いてＭＩＭＯ無線通信におけるデータを送信又は再送する方法が提供される。マッピングテーブルは、複数のシンボルをアンテナと時間スロット又はＯＦＤＭサブバンドであってもよい送信リソースとにマッピングする。マッピングテーブルは、プライマリセグメントのＡｌａｍｏｕｔｉ符号化を有するセカンダリセグメント内に、Ａｌａｍｏｕｔｉ符号化されたプライマリセグメントのネスト化、すなわち、シンボルレベルにおけるＡｌａｍｏｕｔｉ符号化を有する。
2013509742.tif 000002
【特許請求の範囲】
【請求項１】
ＭＩＭＯ（Ｍｕｌｔｉｐｌｅ−Ｉｎｐｕｔ−Ｍｕｌｔｉｐｌｅ−Ｏｕｔｐｕｔ）空間時間符号化通信においてデータを送信する方法であって、
ａ．マッピングテーブルに従って複数のアンテナと各自の送信リソースとにより複数のシンボルセットを送信するステップであって、前記マッピングテーブルは、前記通信を規定する複数のシンボルを前記複数の送信アンテナからの各アンテナと各自の送信リソースとにマッピングする、前記送信するステップを有し、
前記送信するステップは、前記マッピングテーブルにおいてセグメントレベルＡｌａｍｏｕｔｉベースコードの少なくとも一部を形成するシンボルを送信することを有する方法。
【請求項２】
前記送信するステップはさらに、シンボルレベルＡｌａｍｏｕｔｉベースコードの部分を形成するシンボルを送信することを有する、請求項１記載の方法。
【請求項３】
前記送信するステップは、前記シンボルレベルＡｌａｍｏｕｔｉベースコードと前記セグメントレベルＡｌａｍｏｕｔｉベースコードとの双方の部分を形成するシンボルを送信することを有する、請求項２記載の方法。
【請求項４】
前記マッピングテーブルは、
ａ．各プライマリセグメントが一緒になってシンボルレベルＡｌａｍｏｕｔｉベースコードを規定する個々のシンボルに対応する複数のコンポーネントを有する複数のプライマリセグメントと、
ｂ．一緒になってセグメントレベルＡｌａｍｏｕｔｉベースコードを規定する複数のプライマリコードを有する少なくとも１つのセカンダリセグメントと、
を有する、請求項１記載の方法。
【請求項５】
前記少なくとも１つのセカンダリセグメントのそれぞれは、４つのプライマリコンポーネントを有する、請求項４記載の方法。
【請求項６】
前記少なくとも１つのセカンダリセグメントにより規定される前記セグメントレベルＡｌａｍｏｕｔｉベースコードは、パーシャルＡｌａｍｏｕｔｉベースコードである、請求項４記載の方法。
【請求項７】
前記少なくとも１つのセカンダリセグメントのそれぞれは、一緒になって前記プライマリセグメントレベルにおけるセグメントレベルＡｌａｍｏｕｔｉベースコードを規定する複数のプライマリセグメントを有し、
前記マッピングテーブルはさらに、一緒になって前記セカンダリセグメントレベルにおけるセグメントレベルＡｌａｍｏｕｔｉベースコードを形成する複数のセカンダリセグメントを有する少なくとも１つの第３のセグメントを有する、請求項４記載の方法。
【請求項８】
前記送信するステップは、前記複数のアンテナと第１の送信リソースとにより第１シンボルセットを送信し、前記第１シンボルセットの送信が成功したか確認することを有する、請求項１記載の方法。
【請求項９】
前記第１シンボルセットが送信に成功したことが確認されない場合、前記複数のアンテナと第２の送信リソースとにより第２シンボルセットを送信するステップをさらに有する、請求項８記載の方法。
【請求項１０】
ＭＩＭＯ（Ｍｕｌｔｉｐｌｅ−Ｉｎｐｕｔ−Ｍｕｌｔｉｐｌｅ−Ｏｕｔｐｕｔ）空間時間符号化通信においてデータを送信する方法であって、
ａ．前記通信を規定する複数のシンボルを複数の送信アンテナからの各アンテナと各自の送信リソースとにマッピングするためのマッピングテーブルを規定するステップと、
ｂ．ｉ．前記マッピングテーブルの複数のプライマリセグメントのそれぞれが一緒になってシンボルレベルＡｌａｍｏｕｔｉベースコードを規定する個々のシンボル送信に対応する複数のコンポーネントを有する前記複数のプライマリセグメントを規定し、ｉｉ．一緒になってセグメントレベルＡｌａｍｏｕｔｉベースコードを規定する複数のプライマリセグメントを有する前記マッピングテーブルのセカンダリセグメントを規定することによって、前記マッピングテーブルを記述するステップと、
ｃ．前記マッピングテーブルに従って前記複数のアンテナにより前記マッピングテーブルのシンボルを送信するステップと、
を有する方法。
【発明の詳細な説明】
【技術分野】
【０００１】
本出願は、一般に無線通信技術に関し、より詳細にはＡｌａｍｏｕｔｉコードを用いたＭＩＭＯ方式におけるシンボル送信に関する。
【背景技術】
【０００２】
無線接続を介しデータが送信されるサービスの需要が近年増大し、増大し続けることが予想される。セルラ携帯電話や他の携帯電話、パーソナル通信システム（ＰＣＳ）及びデジタル又は高品位テレビ（ＨＤＴＶ）を介しデータが送信されるアプリケーションが含まれる。これらのサービスに対する需要は増大しているが、データが送信されるチャネル帯域幅は限られている。従って、この限定的な帯域幅上で効率的かつコスト効果的な方法によりデータを高速に送信することが所望される。
【０００３】
チャネルを介し高速データを効率的に送信するための既知のアプローチは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を利用することによってである。高速データ信号は、サブキャリア周波数（サブキャリア）として知られる無線周波数（ＲＦ）信号内の各周波数を介しパラレルに送信されるより低速な数十又は十百の信号に分割される。サブキャリアの周波数スペクトルは、それらの間の間隔が最小化されるように重複される。サブキャリアはまた、統計的に独立し、クロストークを生じさせたり、又は互いに干渉しないように、互いに直交する。この結果、チャネル帯域幅は、ＡＭ／ＦＭ（振幅又は周波数変調）などの従来のシングルキャリア送信スキームよりはるかに効率的に利用される。
【０００４】
ＳＴＴＤ（Ｓｐａｃｅ  Ｔｉｍｅ  Ｔｒａｎｓｍｉｔ  Ｄｉｖｅｒｓｉｔｙ）は、リンクパフォーマンスを有意に向上させるシンボルレベルダイバーシチを実現できる。ＳＴＴＤコードは、それがフルスペース時間符号化レートを実現し（スペース時間符号化レート＝１、又はレート１とも呼ばれる）、それが直交しているという意味で、“完全”であると言われる。しかしながら、送信アンテナの本数が２より多いとき、レート１直交コードは存在しない。
【０００５】
チャネル帯域幅をより効率的に利用するためのアプローチは、ＭＩＭＯ（Ｍｕｌｔｉｐｌｅ  Ｉｎｐｕｔ−Ｍｕｌｔｉｐｌｅ  Ｏｕｔｐｕｔ）と呼ばれる、複数のアンテナを有する基地局を用いてデータを送信し、複数の受信アンテナを有する遠隔局を用いて送信データを受信することである。ＭＩＭＯ技術は、３ＧＰＰ（３ｒｄ  Ｇｅｎｅｒａｔｉｏｎ  Ｐａｒｔｎｅｒｓｈｉｐ  Ｐｒｏｊｅｃｔ）規格などの次世代無線セルラシステムについて提案された。複数のアンテナが送信機と受信機との双方に配置されるため、より大きなキャパシティ又は送信レートが実現できる。
【０００６】
ＭＩＭＯシステムを用いてパケットを送信するとき、受信パケットが誤りを有する場合、受信機は、同じパケットの再送を要求するようにしてもよい。当初の送信と異なってパケットシンボルがマッピングされるシステムが知られている。
【０００７】
ＭＩＭＯ環境においてシンボルを送信する方法は、公開番号ＷＯ２００６／０７６７８７を有するＰＣＴ国際特許出願ＰＣＴ／ＣＡ２００５／００１９７６に開示されている。
【０００８】
閉ループシステムでは、パケット受信機はまた、送信機に再送フォーマットのベストなマッピングを示すことができる。
【０００９】
既知のシステムでは、干渉を解消するのに非効率なシンボルマッピングの可能性が存在する。
【００１０】
従って、ＭＩＭＯ再送を実現するための改良された方法が必要とされる。
【発明の概要】
【００１１】
第１の広い態様によると、ＭＩＭＯ（Ｍｕｌｔｉｐｌｅ−Ｉｎｐｕｔ−Ｍｕｌｔｉｐｌｅ−Ｏｕｔｐｕｔ）空間時間符号化通信においてデータを送信する方法が提供される。本方法は、マッピングテーブルに従って共通する複数のアンテナと各自の送信リソースとにより複数のシンボルセットを送信するステップを有し、前記マッピングテーブルは、前記通信を規定する複数のシンボルを前記複数の送信アンテナからの各アンテナと各自の送信リソースとにマッピングする。前記送信するステップは、前記マッピングテーブルにおいてセグメントレベルＡｌａｍｏｕｔｉコードの少なくとも一部を形成するシンボルを送信することを有する。
【００１２】
第２の広い態様によると、ＭＩＭＯ（Ｍｕｌｔｉｐｌｅ−Ｉｎｐｕｔ−Ｍｕｌｔｉｐｌｅ−Ｏｕｔｐｕｔ）空間時間符号化通信においてデータを送信する方法が提供される。本方法は、前記通信を規定する複数のシンボルを複数の送信アンテナからの各アンテナと各自の送信リソースとにマッピングするためのマッピングテーブルを規定するステップを有する。本方法はさらに、前記マッピングテーブルの複数のプライマリセグメントのそれぞれが一緒になってシンボルレベルＡｌａｍｏｕｔｉコードを規定する個々のシンボル送信に対応する複数のコンポーネントを有する前記複数のプライマリセグメントを規定し、一緒になってセグメントレベルＡｌａｍｏｕｔｉコードを規定する複数のプライマリセグメントを有する前記マッピングテーブルのセカンダリセグメントを規定することによって、前記マッピングテーブルを記述するステップを有する。本方法はさらに、前記マッピングテーブルに従って前記複数のアンテナにより前記マッピングテーブルのシンボルを送信するステップを有する。
【００１３】
本出願の態様及び特徴は、添付した図面及び付属と共に開示の特定の実施例の以下の説明を参照することによって、当業者に明らかになるであろう。
【図面の簡単な説明】
【００１４】
本出願の実施例は、添付した図面を参照して単なる具体例により説明される。
【図１】図１は、セルラ通信システムのブロック図である。
【図２】図２は、本出願のいくつかの実施例を実現するのに利用可能な一例となる基地局のブロック図である。
【図３】図３は、本出願のいくつかの実施例を実現するのに利用可能な一例となる無線端末のブロック図である。
【図４】図４は、本出願のいくつかの実施例を実現するのに利用可能な一例となる中継局のブロック図である。
【図５】図５は、本出願のいくつかの実施例を実現するのに利用可能な一例となるＯＦＤＭ送信機の構成の論理的分解のブロック図である。
【図６】図６は、本出願のいくつかの実施例を実現するのに利用可能な一例となるＯＦＤＭ受信機の構成の論理的分解のブロック図である。
【図７】図７は、ＩＥＥＥ８０２．１６ｍ−０８／００３ｒｌの図１のネットワークの全体構成の一例である。
【図８】図８は、ＩＥＥＥ８０２．１６ｍ−０８／００３ｒｌの図２のネットワークの全体構成における中継局である。
【図９】図９は、ＩＥＥＥ８０２．１６ｍ−０８／００３ｒｌの図３のシステム参照モデルである。
【図１０】図１０は、ＩＥＥＥ８０２．１６ｍ−０８／００３ｒｌの図４のＩＥＥＥ８０２．１６ｍプロトコル構成である。
【図１１】図１１は、ＩＥＥＥ８０２．１６ｍ−０８／００３ｒｌの図５のＩＥＥＥ８０２．１６ｍ  ＭＳ／ＢＳデータプレーン処理フローである。
【図１２】図１２は、ＩＥＥＥ８０２．１６ｍ−０８／００３ｒｌの図６のＩＥＥＥ８０２．１６ｍ  ＭＳ／ＢＳ制御プレーン処理フローである。
【図１３】図１３は、ＩＥＥＥ８０２．１６ｍ−０８／００３ｒｌの図７のマルチキャリアシステムをサポートする汎用的なプロトコル構成である。
【図１４】図１４は、シンボルレベルＡｌａｍｏｕｔｉコードを示すマッピングテーブルのグラフィカル表示である。
【図１５】図１５は、２シンボルレベルＡｌａｍｏｕｔｉコードを示すマッピングテーブルのグラフィカル表示である。
【図１６】図１６は、２シンボルレベルＡｌａｍｏｕｔｉコードを示すマッピングテーブルのグラフィカル表示である。
【図１７Ａ】図１７Ａは、セグメントレベルＡｌａｍｏｕｔｉコードを示すマッピングテーブルのグラフィカル表示である。
【図１７Ｂ】図１７Ｂは、セグメントレベルＡｌａｍｏｕｔｉコードとシンボルレベルＡｌａｍｏｕｔｉコードとを示すマッピングテーブルのグラフィカル表示である。
【図１７Ｃ】図１７Ｃは、セグメントレベルＡｌａｍｏｕｔｉコードとシンボルレベルＡｌａｍｏｕｔｉコードとを示すマッピングテーブルのグラフィカル表示である。
【図１８】図１８は、セグメントレベルＡｌａｍｏｕｔｉコードとシンボルレベルＡｌａｍｏｕｔｉコードとの２つのレベルを示すマッピングテーブルのグラフィカル表示である。
【図１９】図１９は、パーシャルセグメントレベルＡｌａｍｏｕｔｉコードを示すマッピングテーブルのグラフィカル表示である。
【図２０】図２０は、シンボルレベル及びセグメントレベルＡｌａｍｏｕｔｉコードを示すマッピングテーブルのグラフィカル表示である。  同様の参照番号は、類似の要素を示すため異なる図面において利用される。
【発明を実施するための形態】
【００１５】
図面を参照して、図１は、対応する基地局（ＢＳ）１４により提供される複数のセル１２内の無線通信を制御する基地局コントローラ（ＢＳＣ）１０を示す。ある構成では、各セルはさらに複数のセクタ１３又はゾーン（図示せず）に分割される。一般に、各基地局１４は、当該基地局と通信可能な何れかのエンティティとすることができる加入局（ＳＳ）１６とＯＦＤＭを用いた通信を実現し、対応する基地局１４に関連するセル１２内の移動局及び／若しくは無線端末又は固定端末を含むものであってもよい。基地局１４に関してＳＳ１６が移動した場合、この移動は、チャネル状態の有意な変動をもたらす。図示されるように、ＢＳ１４及びＳＳ１６は、通信について空間ダイバーシチを提供するための複数のアンテナを有してもよい。ある構成では、中継局１５は、ＢＳ１４と無線端末１６との間の通信を支援してもよい。ＳＳ１６は、何れかのセル１２、セクタ１３、ゾーン（図示せず）、ＢＳ１４又は中継局１５から、セル１２、セクタ１３、ゾーン（図示せず）、ＢＳ１４又は中継局１５の他の何れかにハンドオフすることが可能である。ある構成では、ＢＳ１４は、バックホールネットワーク１１を介し互いに及び他のネットワーク（コアネットワーク又はインターネット（何れも図示せず）など）と通信する。ある構成では、基地局コントローラ１０は必要とされない。
【００１６】
図２を参照して、ＢＳ１４の一例が示される。ＢＳ１４は、一般に制御システム２０、ベースバンドプロセッサ２２、送信回路２４、受信回路２６、複数のアンテナ２８及びネットワークインタフェース３０を有する。受信回路２６は、ＳＳ１６（図３に図示）及び中継局１５（図４に図示）により提供される１以上のリモート送信機から、情報を担持する無線周波数信号を受信する。低ノイズアンプ及びフィルタ（図示せず）が、処理のため信号からのブロードバンド干渉を増幅及び除去するため連係してもよい。その後、ダウン変換及びデジタル化回路（図示せず）が、フィルタリングされた受信信号を中間又はベースバンド周波数信号にダウン変換し、その後、１以上のデジタルストリームにデジタル化する。
【００１７】
ベースバンドプロセッサ２２は、受信信号により伝送された情報又はデータビットを抽出するため、デジタル化された受信信号を処理する。この処理は、典型的には、復調、復号化及び誤り訂正処理からなる。また、ベースバンドプロセッサ２２は、一般に１以上のＤＳＰ（Ｄｉｇｉｔａｌ  Ｓｉｇｎａｌ  Ｐｒｏｃｅｓｓｏｒ）又はＡＳＩＣ（Ａｐｐｌｉｃａｔｉｏｎ−Ｓｐｅｃｉｆｉｃ  Ｉｎｔｅｇｒａｔｅｄ  Ｃｉｒｃｕｉｔ）により実現される。その後、受信した情報は、中継局１５を利用して又は直接的に、ネットワークインタフェース３０を介し無線ネットワークに送信され、又はＢＳ１４によるサービスを受ける他のＳＳ１６に送信される。
【００１８】
送信側では、ベースバンドプロセッサ２２は、制御システム２０の制御の下でネットワークインタフェース３０から音声、データ又は制御情報を表しうるデジタル化されたデータを受信し、送信のためデータを符号化する。符号化されたデータは、送信回路２４に出力され、所望の送信周波数を有する１以上のキャリア信号により変調される。パワーアンプ（図示せず）は、変調されたキャリア信号を送信に適したレベルに増幅し、マッチするネットワーク（図示せず）を介しアンテナ２８に変調されたキャリア信号を送信する。変調及び処理の詳細は、以降において詳細に説明される。
【００１９】
図３を参照して、加入局（ＳＳ）１６の一例が示される。ＳＳ１６は、例えば、移動局とすることができる。ＢＳ１４と同様に、ＳＳ１６は、制御システム３２、ベースバンドプロセッサ３４、送信回路３６、受信回路３８、複数のアンテナ４０及びユーザインタフェース回路４２を有する。受信回路３８は、ＢＳ１４及び中継局１５の１以上から、情報を担持する無線周波数信号を受信する。低ノイズアンプ及びフィルタ（図示せず）は、処理のため信号からのブロードバンド干渉を増幅及び除去するため連係してもよい。その後、ダウン変換及びデジタル化回路（図示せず）は、フィルタリングされた受信信号を中間又はベースバンド周波数信号にダウン変換し、その後、１以上のデジタルストリームにデジタル化する。
【００２０】
ベースバンドプロセッサ３４は、受信信号に伝送される情報又はデータビットを抽出するため、デジタル化された受信信号を処理する。この処理は、典型的には、復調、復号化及び誤り訂正処理からなる。ベースバンドプロセッサ３４は、一般に１以上のＤＳＰ及びＡＳＩＣにより実現される。送信のため、ベースバンドプロセッサ３４は、制御システム３２から音声、ビデオ、データ又は制御情報を表しうるデジタル化されたデータを受信し、送信のため符号化する。符号化されたデータは、送信回路３６に出力され、所望の送信周波数において１以上のキャリア信号を変調するため変調手段により利用される。パワーアンプ（図示せず）は、変調されたキャリア信号を送信に適したレベルに増幅し、マッチしたネットワーク（図示せず）を介しアンテナ４０に変調されたキャリア信号を送信する。当業者に利用可能な各種変調及び処理技術が、直接的に又は中継局１５を介しＳＳ１６と基地局１４との間の信号送信に利用されてもよい。
【００２１】
ＯＦＤＭ変調では、送信帯域は複数の直交したサブキャリアに分割される。各サブキャリアは、送信されるデジタルデータに従って変調される。ＯＦＤＭは送信帯域を複数のサブキャリアに分割するため、キャリア毎の帯域幅は減少し、キャリア毎の変調時間が増大する。複数のサブキャリアがパラレルに送信されるため、何れか所与のサブキャリアによるデジタルデータ又はシンボル（後述される）の送信レートは、単一のキャリアしか使用されないときより低くなる。
【００２２】
ＯＦＤＭ変調は、送信対象の情報に対する逆高速フーリエ変換（ＩＦＦＴ）の実行を利用する。復調のため、受信信号に対する高速フーリエ変換（ＦＦＴ）の実行が、送信された情報を復元する。実際には、ＩＦＦＴ及びＦＦＴは、逆離散フーリエ変換（ＩＤＦＴ）及び離散フーリエ変換（ＤＦＴ）をそれぞれ実行するデジタル信号処理により提供される。従って、ＯＦＤＭ変調の特徴は、直交サブキャリアが送信チャネル内の複数の帯域について生成されることである。変調された信号は、相対的に低い送信レートを有し、各自の帯域内に留まることが可能なデジタル信号である。個々のサブキャリアは、デジタル信号によって直接的には変調されない。代わりに、すべてのサブキャリアはＩＦＦＴ処理により一度に変調される。
【００２３】
動作について、ＯＦＤＭは、好ましくは、ＢＳ１４からＳＳ１６への少なくともダウンリンク送信に利用される。各ＢＳ１４にはｎ個（ｎ≧１）の送信アンテナ２８が設けられ、各ＳＳ１６にはｍ個（ｍ≧１）の受信アンテナ４０が設けられる。特に、各アンテナは、適切なデュプレクサ又はスイッチを用いて送受信に利用可能であり、簡単化のためそのようにラベル付けされる。
【００２４】
中継局１５が使用されるとき、ＯＦＤＭは、好ましくは、ＢＳ１４から中継局１５へのダウンリンク送信及び中継局１５からＳＳ１６へのダウンリンク送信に利用される。
【００２５】
図４を参照して、一例となる中継局１５が示される。ＢＳ１４及びＳＳ１６と同様に、中継局１５は、制御システム１３２、ベースバンドプロセッサ１３４、送信回路１３６、受信回路１３８、複数のアンテナ１３０及び中継回路１４２を有する。中継回路１４２は、中継局１５が基地局１４とＳＳ１６との間の通信を支援することを可能にする。受信回路１３８は、ＢＳ１４及びＳＳ１６の１以上から、情報を担持する無線周波数信号を受信する。低ノイズアンプ及びフィルタ（図示せず）は、処理のため信号からブロードバンド干渉を増幅及び除去するよう連係してもよい。その後、ダウン変換及びデジタル化回路（図示せず）は、フィルタリングされた受信信号を中間又はベースバンド周波数信号にダウン変換し、その後、１以上のデジタルストリームにデジタル化する。
【００２６】
ベースバンドプロセッサ１３４は、受信信号に伝送される情報又はデータビットを抽出するため、デジタル化された受信信号を処理する。この処理は、典型的には、復調、復号化及び誤り訂正処理からなる。ベースバンドプロセッサ１３４は、一般に１以上のＤＳＰ及びＡＳＩＣにより実現される。
【００２７】
送信のため、ベースバンドプロセッサ１３４は、制御システム１３２から音声、ビデオ、データ又は制御情報を表しうるデジタル化されたデータを受信し、送信用に符号化する。符号化されたデータは送信回路１３６に出力され、所望の送信周波数により１以上のキャリア信号を変調するため変調手段により利用される。パワーアンプ（図示せず）は、変調されたキャリア信号を送信に適したレベルに増幅し、マッチしたネットワーク（図示せず）を介しアンテナ１３０に変調されたキャリア信号を送信する。当業者に利用可能な各種変調及び処理技術が、上述されるように、直接的に又は中継局１５を介し間接的にＳＳ１６と基地局１４との間の信号送信に利用されてもよい。
【００２８】
図５を参照して、ＯＦＤＭ送信の論理アーキテクチャが説明される。まず、基地局コントローラ１０は、中継局１５の支援により又は直接的に、各種ＳＳ１６に送信されるデータをＢＳ１４に送信する。ＢＳ１４は、ＳＳ１６に関するチャネル品質に関する情報を利用して、送信用のデータをスケジューリングし、スケジューリングされたデータを送信するのに適した符号化及び変調を選択するようにしてもよい。チャネル品質は、以下でより詳細に説明されるような制御信号を用いて検出される。しかしながら、概して、各ＳＳ１６のチャネル品質は、ＯＦＤＭ周波数帯におけるチャネル振幅（又は応答）が変化する程度の関数である。
【００２９】
スケジューリングされたデータ４４はビットストリームであり、データスクランブリングロジック４６を用いて当該データに関連するＰＡＰＲ（Ｐｅａｋ−ｔｏ−Ａｖｅｒａｇｅ  Ｐｏｗｅｒ  Ｒａｔｉｏ）を低減するようにスクランブル化される。スクランブル化されたデータのＣＲＣ（Ｃｙｃｌｉｃ  Ｒｅｄｕｎｄａｎｃｙ  Ｃｈｅｃｋ）が決定され、ＣＲＣ付加ロジック４８を用いてスクランブル化されたデータに付加される。次に、チャネルエンコーダロジック５０を用いてＳＳ１６における復元及び誤り訂正を実現するため、データに冗長性を効果的に加えることによって、チャネル符号化が実行される。再び、あるＳＳ１６に対するチャネル符号化は、チャネル品質に基づく。ある実現形態では、チャネルエンコーダロジック５０は、既知のターボ符号化技術を利用する。符号化されたデータは、その後にレートマッチングロジック５２により処理され、符号化に関連するデータ拡張を補償する。
【００３０】
ビットインタリーバロジック５４は、連続するデータビットのロスを最小限にするため、符号化されたデータのビットをシステマティックにリオーダする。リオーダされたデータビットは、マッピングロジック５６により選択された変調方式に依存して対応するシンボルにシステマティックにマッピングされる。この変調方式は、例えば、ＱＡＭ（Ｑｕａｄｒａｔｕｒｅ  Ａｍｐｌｉｔｕｄｅ  Ｍｏｄｕｌａｔｉｏｎ）、ＱＰＳＫ（Ｑｕａｄｒａｔｕｒｅ  Ｐｈａｓｅ  Ｓｈｉｆｔ  Ｋｅｙ）又はＤＰＳＫ（Ｄｉｆｆｅｒｅｎｔｉａｌ  Ｐｈａｓｅ  Ｓｈｉｆｔ  Ｋｅｙｉｎｇ）変調であってもよい。送信データについて、変調の程度は、ＳＳに関連するチャネル品質に基づき選択される。シンボルは、シンボルインタリーバロジック５８を用いて周波数選択フェージングにより生じる定期的なデータロスに対する送信信号の耐性をさらに強化するため、システマティックにリオーダされてもよい。
【００３１】
この時点では、ビットグループは、振幅及び位相コンステレーションの位置を表すシンボルにマッピングされている。空間ダイバーシチが所望されるとき、シンボルのブロックは、その後に空間時間ブロックコード（ＳＴＣ）エンコーダロジック６０により処理され、ＳＳ１６においてより容易に復号化され、送信信号を干渉により耐性のあるものにするようにシンボルを修正する。ＳＴＣエンコーダロジック６０は、入力シンボルを処理し、ＢＳ１４の送信アンテナ２８の個数に対応して“ｎ”個の出力を提供する。図５に関して上述されたような制御システム２０及び／又はベースバンドプロセッサ２２は、ＳＴＣエンコーダを制御するためのマッピング制御信号を提供する。この時点で、“ｎ”個の出力のためのシンボルは送信対象のデータを表し、ＳＳ１６により復元可能であることが仮定される。
【００３２】
本例では、ＢＳ１４は２つの送信アンテナ２８を有し（ｎ＝２）、ＳＴＣエンコーダロジック６０は２つの出力シンボルストリームを提供することが仮定される。ＳＴＣエンコーダロジック６０により出力される各シンボルストリームは、理解の簡単化のため別々に示される対応するＩＦＦＴプロセッサ６２に送信される。当業者は、１以上のプロセッサがこのようなデジタル信号処理を単独で又はここに開示される他の処理との組み合わせにより提供するのに利用可能であることを認識するであろう。ＩＦＦＴプロセッサ６２は、好ましくは、逆フーリエ変換を実行するため、各シンボルに対して実行される。ＩＦＦＴプロセッサ６２の出力は、時間ドメインにおいてシンボルを提供する。時間ドメインシンボルは、プリフィックス単位挿入ロジック６４に関連するフレームにグループ化される。結果としての各フレームは、デジタルドメインにおいて中間周波数にアップ変換され、対応するデジタルアップ変換（ＤＵＣ）及びデジタル・アナログ（Ｄ／Ａ）変換回路６６を介しアナログ信号に変換される。その後、結果としての（アナログ）信号は、所望のＲＦ周波数に同時に変調され、ＲＦ回路６８及び送信アンテナ２８を介し増幅及び送信される。特に、意図されるＳＳ１６により知られるパイロット信号は、サブキャリアに分散される。ＳＳ１６は、チャネル推定のためパイロット信号を利用する。
【００３３】
ＢＳ１４から直接的に又は中継局１５の支援によりＳＳ１６による送信信号の受信を説明するため、図６が参照される。ＳＳ１６の各受信アンテナ４０における送信信号の到着に応答して、各信号は対応するＲＦ回路７０により復調及び増幅される。簡単化のため、２つの受信パスの１つのみが詳細に説明及び図示される。アナログ・デジタル（Ａ／Ｄ）コンバータ及びダウン変換回路７２が、デジタル処理のためアナログ信号をデジタル化及びダウン変換する。結果として得られるデジタル化された信号は、受信信号レベルに基づきＲＦ回路７０のアンプのゲインを制御するため、自動ゲイン制御回路（ＡＧＣ）７４により利用されてもよい。まず、デジタル化された信号は、同期ロジック７６に提供され、同期ロジック７６は粗同期ロジック７８を有し、複数のＯＦＤＭシンボルをバッファし、連続する２つのＯＦＤＭシンボルの間の自己相関を計算する。当該相関結果の最大値に対応する結果としての時間インデックスは、ヘッダに基づき正確なフレーミングスタート位置を決定するため詳細同期ロジック８０により利用される詳細同期サーチウィンドウを決定する。詳細同期ロジック８０の出力は、フレーム配置ロジック８４によるフレーム取得を実現する。適切なフレーミング配置は、以降のＦＦＴ処理が時間ドメインから周波数ドメインへの正確な変換を提供するように重要である。詳細同期アルゴリズムは、ヘッダにより搬送される受信パイロット信号と既知のパイロットデータのローカルコピーとの間の相関に基づく。フレーム配置取得が実行されると、ＯＦＤＭシンボルのプリフィックスが、プリフィックス除去ロジック８６により除去され、結果としてのサンプルが周波数オフセット相関ロジック８８に送信され、送信機及び受信機における一致しないローカルオシレータにより生じたシステム周波数オフセットが補償される。好ましくは、同期ロジック７６は、ヘッダを利用して送信信号に対するこのような効果を推定し、これらの推定を適切にＯＦＤＭシンボルを処理するために相関ロジック８８に提供する周波数オフセットクロック推定ロジック８２を有する。
【００３４】
この時点で、時間ドメインのＯＦＤＭシンボルは、ＦＦＴ処理ロジック９０を利用した周波数ドメインへの変換の準備ができている。この結果は、周波数ドメインシンボル群であり、処理ロジック９２に送信される。処理ロジック９２は、分散パイロット抽出ロジック９４を用いて分散されたパイロット信号を抽出し、チャネル推定ロジック９６を用いて抽出されたパイロット信号に基づくチャネル推定を決定し、チャネル再構成ロジック９８を用いてすべてのサブキャリアのチャネルレスポンスを提供する。各サブキャリアのチャネルレスポンスを決定するため、パイロット信号は、時間と周波数との双方において既知のパターンのＯＦＤＭサブキャリア全体のデータシンボル間に分散された実質的に複数のパイロットシンボルである。
【００３５】
図６に続き、処理ロジックは、パイロットシンボルが送信されたサブキャリアのチャネルレスポンスを決定するため、ある時間のあるサブキャリアにおいて期待されるパイロットシンボルと受信パイロットシンボルとを比較する。その結果は、パイロットシンボルが提供されない残りのサブキャリアのすべてではないが大部分についてチャネルレスポンスを推定するのに補間される。実際の及び補間されたチャネルレスポンスは、全体のチャネルレスポンスを推定するのに利用され、ＯＦＤＭチャネルのサブキャリアのすべてではないが大部分のチャネルレスポンスを含む。
【００３６】
周波数ドメインシンボルとチャネル再構成情報とは、各受信パスのチャネルレスポンスから導出され、ＳＴＣデコーダ１００に提供され、ＳＴＣデコーダ１００は、送信シンボルを復元するため受信パスの双方に対するＳＴＣ復号化を提供する。チャネル再構成情報は、各周波数ドメインシンボルを処理する際に送信チャネルの効果を削除するのに十分な等価情報をＳＴＣデコーダ１００に提供する。
【００３７】
復元されたシンボルは、送信機のシンボルインタリーバロジック５８に対応するシンボルデインタリーバロジック１０２を用いて順序が戻される。その後、デインタリーブされたシンボルは、デマッピングロジック１０４を用いて対応するビットストリームに復調又はデマッピングされる。その後、ビットは、送信機アーキテクチャのビットインタリーバロジック５４に対応するビットデインタリーバロジック１０６を用いてデインタリーブされる。デインタリーブされたビットは、その後にレートデマッチングロジック１０８により処理され、最初のスクランブル化されたデータとＣＲＣチェックサムを復元するため、チャネルデコーダロジック１１０に提供される。従って、ＣＲＣロジック１１２は、ＣＲＣチェックサムを削除し、従来方法によりスクランブル化されたデータをチェックし、既知の基地局デスクランブリングコードを用いて当初の送信データ１１６復元するためのデスクランブル化のため、デスクランブリングロジック１１４に提供する。
【００３８】
データ１１６の復元とパラレルに、チャネル品質の指標又はＢＳ１４においてチャネル品質の知識を導出するのに十分な情報が決定され、ＢＳ１４に送信される。ＣＱＩ信号の送信は、以下においてより詳細に説明される。上述されるように、ＣＱＩは、キャリア対干渉レシオ（ＣＲ）の関数であると共に、チャネルレスポンスがＯＦＤＭ周波数帯の各サブキャリアにおいて変動する程度との関数であってもよい。例えば、情報を送信するのに利用されるＯＦＤＭ周波数帯域の各サブキャリアのチャネルゲインは、チャネルゲインがＯＦＤＭ周波数帯域において変化する程度を決定するため、互いに関して比較される。多数の技術が変動の程度を測定するのに利用可能であるが、１つの技術は、データを送信するのに利用されるＯＦＤＭ周波数帯域全体の各サブキャリアのチャネルゲインの標準偏差を計算することである。ある実施例では、中継局が１つのみの無線を用いて、又は複数の無線を有した時間分割により動作してもよい。
【００３９】
図１〜６は、本出願の実施例を実現するのに利用可能な通信システムの具体例を提供する。本出願の実施例はこれらの具体例と異なり、ここに記載されるような実施例の実現形態と整合した方法により動作する構成を有する通信システムにより実現可能であることが理解されるべきである。
【００４０】
図７を参照して、本発明の非限定的な実施例による上述したＢＳ１４、ＳＳ１６及び中継局（ＲＳ）１５の間の無線通信をサポートするネットワークの論理的表現である一例となるネットワーク参照モデルが示される。ネットワーク参照モデルは、機能的エンティティの間で相互作用が実現される機能的エンティティと参照ポイントとを特定する。具体的には、ネットワーク参照モデルは、ＳＳ１６、ＡＳＮ（Ａｃｃｅｓｓ  Ｓｅｒｖｉｃｅ  Ｎｅｔｗｏｒｋ）及びＣＳＮ（Ｃｏｎｎｅｃｔｉｖｉｔｙ  Ｓｅｒｖｉｃｅ  Ｎｅｔｗｏｒｋ）を含みうる。
【００４１】
ＡＳＮは、加入者（例えば、ＩＥＥＥ８０２．１６ｅ／ｍ加入者など）に無線アクセスを提供するのに必要とされる完全なネットワーク機能セットとして規定できる。ＡＳＮは、１以上のＢＳ１４と１以上のＡＳＮゲートウェイなどのネットワーク要素を有することが可能である。ＡＳＮは、複数のＣＳＮにより共有されてもよい。ＡＳＮは以下の機能を提供できる。
・ＳＳ１６とのレイヤ１及びレイヤ２接続
・加入者セッションを構成する認証、許可及びセッションのための加入者のＨ−ＮＳＰ（Ｈｏｍｅ  Ｎｅｔｗｏｒｋ  Ｓｅｒｖｉｃｅ  Ｐｒｏｖｉｄｅｒ）へのＡＡＡメッセージの転送
・加入者の好適なＮＳＰのネットワーク検出及び選択
・ＳＳ１６とのレイヤ３（Ｌ３）接続を確立するための中継機能（ＩＰアドレス割当てなど）
・無線リソース管理
上記機能に加えて、携帯及び移動環境のため、ＡＳＮはさらに以下の機能をサポート可能である。
・ＡＳＮアンカーモビリティ
・ＣＳＮアンカーモビリティ
・ページング
・ＡＳＮ−ＣＳＮトンネリング
その一部のため、ＣＳＮは、加入者にＩＰ接続サービスを提供するネットワーク機能セットとして規定できる。ＣＳＮは以下の機能を提供するようにしてもよい。
・ユーザセッションのためのＭＳ  ＩＰアドレス及びエンドポイントパラメータ割当て
・ＡＡＡプロキシ又はサーバ
・ユーザ加入プロファイルに基づくポリシー及びアドミッション制御
・ＡＳＮ−ＣＳＮトンネリングサポート
・加入者課金及びオペレータ間決済
・ローミングのためのＣＳＮ間トンネリング
・ＡＳＮ間モビリティ
ＣＳＮは、位置ベースサービス、ピア・ツー・ピアサービスのための接続、プロビジョニング、認証及び／又はＩＰマルチメディアサービスとの接続などのサービスを提供可能である。ＣＳＮはさらに、ルータ、ＡＡＡプロキシ／サービス、ユーザデータベース及び相互動作するゲートウェイＭＳなどのネットワーク要素を有してもよい。ＩＥＥＥ８０２．１６ｍに関して、ＣＳＮは、ＩＥＥＥ８０２．１６ｍ  ＮＳＰの一部又は現在のＩＥＥＥ８０２．１６ｅ  ＮＳＰの一部として配置されてもよい。
【００４２】
さらに、ＲＳ１５は、カバレッジ及び／又はキャパシティを向上させるため配置されてもよい。図８を参照して、既存のＲＳをサポート可能なＢＳ１４が“レガシーゾーン”の既存のＲＳと通信する。ＢＳ１４は、“１６ｍゾーン”において既存のプロトコルサポートを提供することは要求されない。中継プロトコル設計は、“レガシーゾーン”で使用されるＩＥＥＥ８０２−１６ｊプロトコルと異なってもよいが、ＩＥＥＥ８０２−１６ｊの設計に基づくものとすることが可能である。
【００４３】
図９を参照して、ＳＳ１６とＢＳ１４との双方に適用され、ＭＡＣ（Ｍｅｄｉｕｍ  Ａｃｃｅｓｓ  Ｃｏｎｔｒｏｌ）共通部分サブレイヤ、コンバージェンスサブレイヤ、セキュリティサブレイヤ及び物理（ＰＨＹ）レイヤを含む各種機能ブロックを有するシステム参照モデルが示される。
【００４４】
コンバージェンスサブレイヤは、ＣＳ  ＳＡＰを介し受信した外部ネットワークデータのＭＡＣ  ＳＡＰを介しＭＡＣ  ＣＰＳにより受信したＭＡＣ  ＳＤＵへのマッピング、外部ネットワークＳＤＵの分類、及びそれらのＭＡＣ  ＳＦＩＤ及びＣＩＤのＰＨＳ（Ｐａｙｌｏａｄ  Ｈｅａｄｅｒ  Ｓｕｐｐｒｅｓｓｉｏｎ／ｃｏｍｐｒｅｓｓｉｏｎ）への関連付けを実行する。
【００４５】
セキュリティサブレイヤは、認証、セキュアキー交換及び暗号化を実行する。
【００４６】
物理レイヤは、物理レイヤプロトコル及び機能を実行する。
【００４７】
ＭＡＣ共通部分サブレイヤが、より詳細に説明される。まず、ＭＡＣは接続指向であることが理解される。すなわち、ＳＳ１６上のサービスへのマッピング及び各種レベルのＱｏＳの関連付けのため、データ通信が“接続”に関して実行される。特に、“サービスフロー”は、ＳＳ１６がシステムにインストールされると提供されるようにしてもよい。ＳＳ１６の登録直後、帯域幅を要求するものに対する参照を提供するため、これらのサービスフローと接続が関連付けされる（サービスフロー毎に１つの接続）。
【００４８】
さらに、カスタマのサービスが変更の必要があるとき、新たな接続が確立されてもよい。接続は、ＭＡＣを利用するピアコンバージェンスプロセス間のマッピングとサービスフローとの双方を規定する。従って、サービスフローは、帯域幅割当て処理と一体的である。具体的には、ＳＳ１６は、接続単位でアップリンク帯域幅を要求する（非明示的にサービスフローを特定する）。帯域幅は、ＭＳからの接続後とのリクエストに応答して、グラントのまとまりとしてＢＳによりＭＳに付与することが可能である。
【００４９】
図１０をさらに参照して、ＭＡＣ共通部分サブレイヤ（ＣＰＳ）は、無線リソース制御管理（ＲＲＣＭ）機能とＭＡＣ機能とに分類される。
【００５０】
ＲＲＣＭ機能は、以下のような無線リソース機能に関連する複数の機能ブロックを含む。
・無線リソース管理
・モビリティ管理
・ネットワークエントリ管理
・位置管理
・アイドルモード管理
・セキュリティ管理
・システムコンフィギュレーション管理
・ＭＢＳ（Ｍｕｌｔｉｃａｓｔ  ａｎｄ  Ｂｒｏａｄｃａｓｔｉｎｇ  Ｓｅｒｖｉｃｅ）
・サービスフロー及び接続管理
・中継機能
・自己組織化
・マルチキャリア
［無線リソース管理］
無線リソース管理ブロックは、トラフィックロードに基づき無線ネットワークパラメータを調整し、さらにロード制御（ロードバランシング）、アドミッション制御及び干渉制御の各機能を含む。
［モビリティ管理］
モビリティ管理ブロックは、ＲＡＴ内／ＲＡＴ間ハンドオーバに関する機能をサポートする。モビリティ管理ブロックは、通知及び測定を含み、候補近隣ターゲットＢＳ／ＲＳを管理し、ＭＳがＲＡＴ内／ＲＡＴ間ハンドオーバ処理を実行するか決定するＲＡＴ内／ＲＡＴ間ネットワークトポロジの取得を処理する。
［ネットワークエントリ管理］
ネットワークエントリ管理ブロックは、初期化及びアクセス処理を担当する。ネットワークエントリ管理ブロックは、アクセス処理、すなわち、レインジング、基本能力ネゴシエーション、登録などの処理中に必要とされる管理メッセージを生成してもよい。
［位置管理］
位置管理ブロックは、位置ベースサービス（ＬＢＳ）をサポートすることを担当する。位置管理ブロックは、ＬＢＳ情報を含むメッセージを生成してもよい。
［アイドルモード管理］
アイドルモード管理ブロックは、アイドルモード中の位置更新処理を管理する。アイドルモード管理ブロックは、アイドルモード処理を制御し、コアネットワーク側のページングコントローラからのページングメッセージに基づきページング通知メッセージを生成する。
［セキュリティ管理］
セキュリティ管理ブロックは、セキュア通信のための認証／許可及びキー管理を担当する。
［システムコンフィギュレーション管理］
システムコンフィギュレーション管理ブロックは、ＭＳに送信するためのシステムコンフィギュレーションパラメータ、システムパラメータ、及びシステムコンフィギュレーション情報を管理する。
［ＭＢＳ（Ｍｕｌｔｉｃａｓｔ  ａｎｄ  Ｂｒｏａｄｃａｓｔｉｎｇ  Ｓｅｒｖｉｃｅ）］
ＭＢＳ（Ｍｕｌｔｉｃａｓｔ  Ｂｒｏａｄｃａｓｔ  Ｓｅｒｖｉｃｅ）ブロックは、ブロードキャスト及び／又はマルチキャストサービスに関する管理メッセージ及びデータを制御する。
［サービスフロー及び接続管理］
サービスフロー及び接続管理ブロックは、アクセス／ハンドオーバ／サービスフロー生成処理中に“ＭＳ識別子”（又はステーション識別子−ＳＴＩＤ）及び“フロー識別子”（ＦＩＤ）を割り当てる。ＭＳ識別子とＦＩＤとは、以下においてさらに説明される。
［中継機能］
中継機能ブロックは、マルチホップ中継機構をサポートするための機能を含む。これらの機能は、ＢＳとアクセスＲＳとの間の中継パスを維持するための処理を含む。
［自己組織化］
自己組織化ブロックは、自己設定及び自己最適化機構をサポートするための機能を実行する。これらの機能は、自己設定及び自己最適化のための測定を報告するようＲＳ／ＭＳに要求し、ＲＳ／ＭＳからの測定結果を受信するための処理を含む。
［マルチキャリア］
マルチキャリア（ＭＣ）ブロックは、共通のＭＡＣエンティティが複数の周波数チャネルにおけるＰＨＹスパニングを制御することを可能にする。これらのチャネルは、連続的又は非連続的な周波数帯上で異なる帯域幅（５，１０，２０ＭＨｚなど）を有してもよい。これらのチャネルは、ＦＤＤ、ＴＤＤ又は双方向とブロードキャスト専用のキャリアとの合成など、同一又は異なる二重モードを有してもよい。連続的な周波数チャネルについて、データ送信に利用するため、重複したガードサブキャリアが周波数ドメインにおいて並べられる。
【００５１】
ＭＡＣは、以下のような物理レイヤ及びリンク制御に関する機能ブロックを有する。
・ＰＨＹ制御
・制御シグナリング
・スリープモード管理
・ＱｏＳ
・スケジューリング及びリソースマルチプレクシング
・ＡＲＱ
・フラグメンテーション／パッキング
・ＭＡＣ  ＰＤＵ形成
・マルチ無線共存
・データ転送
・干渉管理
・ＢＳ間協調
［ＰＨＹ制御］
ＰＨＹ制御ブロックは、レインジング、測定／フィードバック（ＣＱＩ）及びＨＡＲＱ  ＡＣＫ／ＮＡＣＫなどのＰＨＹシグナリングを処理する。ＣＱＩ及びＨＡＲＱ  ＡＣＫ／ＮＡＣＫに基づき、ＰＨＹ制御ブロックは、ＭＳにより観察されるようなチャネル品質を推定し、変調及び符号化方式（ＭＣＳ）及び／又はパワーレベルを調整することを介してリンクアダプテーションを実行する。レインジング処理では、ＰＨＹ制御ブロックは、パワー調整、周波数オフセット及びタイミングオフセット推定とのアップリンク同期を実行する。
［制御シグナリング］
制御シグナリングブロックは、リソース割当てメッセージを生成する。
［スリープモード管理］
スリープモード管理ブロックは、スリープモード処理を処理する。スリープモード管理ブロックはまた、スリープ処理に関するＭＡＣシグナリングを生成し、スリープ期間に従って適切に動作するため、スケジューリング及びリソースマルチプレクシングブロックと通信するようにしてもよい。
［ＱｏＳ］
ＱｏＳブロックは、各接続についてサービスフロー及び接続管理ブロックから入力されたＱｏＳパラメータに基づきＱｏＳ管理を処理する。
［スケジューリング及びリソースマルチプレキシング］
スケジューリング及びリソースマルチプレキシングブロックは、接続の性質に基づきパケットをスケジューリング及び多重化する。接続の性質を反映するため、スケジューリング及びリソースマルチプレキシングブロックは、各接続についてＱｏＳブロックからのＱｏＳ情報を受信する。
［ＡＲＱ］
ＡＲＱブロックは、ＭＡＣ  ＡＲＱ機能を処理する。ＡＲＱ対応の接続について、ＡＲＱブロックは、ＭＡＣ  ＳＤＵをＡＲＱブロックに論理分割し、各論理ＡＲＱブロックをナンバリングする。ＡＲＱブロックはまた、フィードバックメッセージ（ＡＣＫ／ＮＡＣＫ情報）などのＡＲＱ管理メッセージを生成してもよい。
［フラグメンテーション／パッキング］
フラグメンテーション／パッキングブロックは、スケジューリング及びリソースマルチプレクシングブロックからのスケジューリング結果に基づき、ＭＳＤＵのフラグメント化又はパッキングを実行する。
［ＭＡＣ  ＰＤＵ形成］
ＭＡＣ  ＰＤＵ形成ブロックは、ＢＳ／ＭＳがユーザトラフィック又は管理メッセージをＰＨＹチャネルに送信可能となるように、ＭＡＣ  ＰＤＵを構成する。ＭＡＣ  ＰＤＵ形成ブロックは、ＭＡＣヘッダを追加し、サブヘッダを追加してもよい。
［マルチ無線共存］
マルチ無線共存ブロックは、同一の移動局に共置されるＩＥＥＥ８０２．１６ｍと非ＩＥＥＥ８０２．１６ｍの無線の同時処理をサポートするための機能を実行する。
［データ転送］
データ転送ブロックは、ＲＳがＢＳとＭＳとの間のパス上にあるとき、転送機能を実行する。データ転送ブロックは、スケジューリング及びリソースマルチプレキシングブロック及びＭＡＣ  ＰＤＵ形成ブロックなどの他のブロックと連係する。
［干渉管理］
干渉管理ブロックは、セル／セクタ間干渉を管理するための機能を実行する。これらの処理は、
・ＭＡＣレイヤ処理
・ＭＡＣシグナリングを介し送信される干渉測定／評価レポート
・スケジューリング及びフレキシブルな周波数再利用による干渉軽減
・ＰＨＹレイヤ処理
・送信電力制御
・干渉ランダム化
・干渉キャンセル
・干渉測定
・Ｔｘビームフォーミング／プリコーディング
を含むものであってもよい。
［ＢＳ間協調］
ＢＳ間協調ブロックは、干渉管理などの情報を交換することによって、複数のＢＳのアクションを協調させるための機能を実行する。これらの機能は、例えば、バックボーンシグナリングとＭＳ  ＭＡＣメッセージングとによるＢＳ間の干渉管理などのための情報を交換するための処理を含む。当該情報は、干渉測定結果などの干渉特性を含むものであってもよい。
【００５２】
ＢＳ１４及びＳＳ１６におけるユーザトラフィックデータフロー及び処理を示す図１１が参照される。破線の矢印は、ネットワークレイヤと物理レイヤとの間のユーザトラフィックデータフローを示す。送信側では、ネットワークレイヤパケットは、コンバージェンスサブレイヤ、ＡＲＱ機能（存在する場合）、フラグメンテーション／パッキング機能及びＭＡＣ  ＰＤＵ形成機能によって処理され、物理レイヤに送信するＭＡＣ  ＰＤＵを形成する。受信側では、物理レイヤＳＤＵは、ＭＡＣ  ＰＤＵ形成機能、フラグメンテーション／パッキング機能、ＡＲＱ機能（存在する場合）及びコンバージェンスサブレイヤ機能によって処理され、ネットワークレイヤパケットを形成する。実線の矢印は、ＣＰＳ機能の間と、ユーザトラフィックデータの処理に関するＣＰＳとＰＨＹとの間との制御プリミティブを示す。
【００５３】
ＢＳ１６及びＭＳ１４におけるＣＰＳ制御プレーンシグナリングフロー及び処理を示す図１２が参照される。送信側では、破線の矢印は、制御プレーン機能からデータプレーン機能への制御プレーンシグナリングのフローと、無線送信される対応するＭＡＣシグナリング（例えば、ＭＡＣ管理メッセージ、ＭＡＣヘッダ／サブヘッダなど）を形成するためにデータプレーン機能による制御プレーンシグナリングの処理とを示す。受信側では、破線の矢印は、データプレーン機能による受信した無線ＭＡＣシグナリングの処理と、制御プレーン機能による対応する制御プレーンシグナリングの受信とを示す。実線の矢印は、ＣＰＳ機能の間と、制御プレーンシグナリングの処理に関するＣＰＳとＰＨＹとの間との制御プリミティブを示す。Ｍ＿ＳＡＰ／Ｃ＿ＳＡＰとＭＡＣ機能ブロックとの間の実線の矢印は、ＮＣＭＳ（Ｎｅｔｗｏｒｋ  Ｃｏｎｔｒｏｌ  ａｎｄ  Ｍａｎａｇｅｍｅｎｔ  Ｓｙｓｔｅｍ）との間の制御及び管理プリミティブを示す。Ｍ＿ＳＡＰ／Ｃ＿ＳＡＰとの間のプリミティブは、ＢＳ間干渉管理、ＲＡＴ間／ＲＡＴ内モビリティ管理などのネットワークに関する機能と、位置管理、システム設定などの管理に関する機能とを規定する。
【００５４】
マルチキャリアシステムをサポートするための汎用的なプロトコルアーキテクチャを示す図１３が参照される。共通のＭＡＣエンティティが、複数の周波数チャネルにおけるＰＨＹスパニングを制御してもよい。１つのキャリア上で送信されるＭＡＣメッセージがまた他のキャリアに適用されてもよい。チャネルは、異なる帯域幅を有してもよく（例えば、５，１０，２０ＭＨｚなど）、連続的な又は不連続的な周波数帯上にあってもよい。チャネルは、ＦＤＤ、ＴＤＤ又は双方向とブロードキャスト専用のキャリアとの組み合わせなどの異なる二重モードを有してもよい。
【００５５】
共通ＭＡＣエンティティは、１回に１つのチャネル上の処理や連続する又は不連続のチャネルにおけるアグリゲーションなど、異なる機能を有するＭＳ１６の同時的な存在をサポートしてもよい。
【００５６】
本発明の実施例は、ＭＩＭＯ通信システムを参照して説明される。ＭＩＭＯ通信システムは、ＩＥＥＥ８０２．１６（ｅ）及びＩＥＥＥ８０２．１１（ｎ）規格に従って利用されるパケット再送方式を実装してもよい。後述されるパケット再送方式は、限定することなく、３ＧＰＰ及び３ＧＰＰ２規格に従って動作するものなど他の無線環境に適用可能であってもよい。
【００５７】
以下の説明では、“ＳＴＣコードマッピング”という用語は、シンボルとアンテナとのマッピングを示すのに利用される。このようなマッピングにおける各シンボルは、それの共役（Ｓ１＊など）、回転（ｊＳ１，−Ｓ１，−ｊＳ１など）、又は共役と回転との組み合わせ（ｊＳ１＊など）により置換されてもよい。いくつかの実施例では、このマッピングはまた各アンテナの信号重み付けを含む。
【００５８】
Ａｌａｍｏｕｔｉコードが、ＳＴＣコードマッピングについて利用されてもよい。図１４は、Ａｌａｍｏｕｔｉコードの符号化マトリクス１４００を示す。
【００５９】
図１４のＴｘ−１，Ｔｘ−２はそれぞれ、第１及び第２送信アンテナを示す。一般に、Ａｌａｍｏｕｔｉコードは、送信機において２つのアンテナを必要とし、２つのアンテナについて最大の送信ダイバーシチゲインを提供する。図１４において、それぞれ各列によって２つのアンテナＴｘ−１，Ｔｘ−２が示される。この従来の４シンボルＡｌａｍｏｕｔｉコードは、シンボルレベルＡｌａｍｏｕｔｉコードとみなされてもよい。
【００６０】
図１４のＴｒａｎｓ．１，Ｔｒａｎｓ．２はそれぞれ、１つのシンボルがアンテナ毎に送信される第１及び第２送信リソースを示す。Ｔｒａｎｓ．１は、送信リソースＴｒａｎｓ．ｉの行において規定されるシンボルセットと関連付けされる。図１４の２つの送信Ｔｒａｎｓ．１，Ｔｒａｎｓ．２は、各行により表される。シンボルが送信される送信リソースは、一般に各アンテナは送信リソースＴｒａｎｓ．ｉ毎に１つのシンボルを送信するが、何れか適切な方法により規定されてもよい。例えば、異なる送信リソースＴｒａｎｓ．１，Ｔｒａｎｓ．２，．．．は、異なる時間インターバルを示すものであってもよい。このような場合、図１４によると、アンテナＴｘ−１は、第１時間インターバルＴｒａｎｓ．１においてシンボルＡを送信し、アンテナＴｘ−２は、同じ時間インターバルＴｒａｎｓ．１においてシンボルＢを送信する。以降の時間インターバルＴｒａｎｓ．２において、アンテナＴｘ−１は、シンボル−Ｂ２＊を送信し、同一の時間インターバルＴｒａｎｓ．２において、アンテナＴｘ−２はシンボルＡ１＊を送信する。
【００６１】
従って、送信リソースＴｒａｎｓ．ｉは、時間単位を表すものであってもよい。しかしながら、他の例では、送信リソースＴｒａｎｓ．ｉは、シンボルの別々の発生を区別することを可能にする他の物理的又は論理的性質を表すものであってもよい。例えば、各シンボルがマッピングテーブルにおいてマッピングされる送信リソースＴｒａｎｓ．ｉは、別々のサブキャリア、拡散シーケンス、ＯＦＤＭインターバル又はこれらの適切な組み合わせを表すものであってもよい。実際、各送信を区別する何れか適切なモードが利用されてもよい。
【００６２】
テーブルのセルはそれぞれ、ある行とある列との交差部分にあり、各アンテナによるシンボルの個々の送信を表す。２つの列と２つの行とを有するマッピングテーブル１４００は、各コンポーネントがマッピングテーブル１４００の単一のセルである４つのコンポーネント１４１１，１４１２，１４１３，１４１４を有し、１つのシンボルに対応する正方形のセグメント１４０５を形成する。これら４つのコンポーネントが一緒になってＡｌａｍｏｕｔｉコードを形成する。本例では、コンポーネント１４１１，１４１２，１４１３，１４１４は、正方形のセグメント１４０５の象限となる。スター“＊”が共役を示す表記によると、Ａ＊はＡの共役を表し、−Ｂ＊はＢの負の共役を表すことが理解されるであろう。
【００６３】
いくつかのケースでは、１以上の送信が同一のシンボル又はフレーム内で実行されてもよいし、及び／又は同一のＨＡＲＱパケット送信の一部であってもよい。他のケースでは、各送信は別のＨＡＲＱ送信に対応するものであってもよい。
【００６４】
Ａｌａｍｏｕｔｉコードから導出される、４つの送信アンテナを用いてＭＩＭＯパケットを再送するのに利用され、２つのマッピングを利用する方式が、４つのシンボルが４つのアンテナと２つの送信を介し送信される送信方式のためのシンボルマッピングを示すマッピングテーブル１５００を示す図１５に示される。図１５に示されるように、ＭＩＭＯパケットの第１及び第２再送が、“ダブルＳＴＴＤ”ＳＴＣコードマッピングを用いて行われる。
【００６５】
より詳細には、マッピングテーブルは、各セグメントが４つのコンポーネントを有する２つのセグメント１５０５，１５１０に分割され、各コンポーネントはシングルシンボルコンポーネントであってもよい。各セグメント１５０５，１５１０は、Ａｌａｍｏｕｔｉ符号化を規定する。図１５において、第１セグメント１５０５は、アンテナＴｘ−１，Ｔｘ−２と送信Ｔｒａｎｓ．１，Ｔｒａｎｓ．２との結合上にある。第１セグメント１５０５は、各コンポーネントが１つのシンボルに対応する４つのコンポーネント１５０６，１５０７，１５０８，１５０９を有する。これら４つのコンポーネント１５０６，１５０７，１５０８，１５０９において、マッピングは、マッピングテーブル１４００と同様にＡｌａｍｏｕｔｉコードの形態をとる。Ｔｘ−３，Ｔｘ−４及びＴｒａｎｓ．１，Ｔｒａｎｓ．２の結合上の第２セグメント１５１０では、４つのコンポーネントが同様にシンボルに対応し、図１４に示されるものと同様にＡｌａｍｏｕｔｉコードの形態をとる。
【００６６】
図１５に示されるセグメントは連続的であるが、これはそうである必要はないことが理解されるべきである。実際、セグメントの４つのコンポーネントはマッピングテーブル１５００において隣接しないように配置されてもよい。例えば、セグメント１５０５，１５１０は、水平方向に不連続となりうるものであり、図１６に示されるように、隣接するアンテナ上にない（テーブル表現又は物理的現実において）。図１６に示されるマッピングテーブル１６００では、図１５と同様の構成であるが、非隣接アンテナ列に分割されたセグメントを有する。ここで、アンテナＴｘ−１に対応するコンポーネント１６０６，１６０８とアンテナＴｘ−３に対応するコンポーネント１６０７，１６０９とが第１セグメント１６０５に属し、アンテナＴｘ−２に対応するコンポーネント１６１１，１６１３とアンテナＴｘ−４のコンポーネント１６１２，１６１４とが第２セグメント１６１０に属する。さらに、セグメント１６０５，１６１０もまた送信リソース方向に不連続である。より詳細には、第１セグメント１６０５のケースでは、コンポーネント１６０６，１６０７は送信リソースＴｒａｎｓ．３に対応し、１６０８，１６０９は送信リソースＴｒａｎｓ．２に対応し、第１セグメント１６０５の何れのコンポーネントも送信リソースＴｒａｎｓ．２では発生しない。同様に、第２セグメント１６１０について、コンポーネント１６１１，１６１２は送信リソースＴｒａｎｓ．１に対応し、１６１３，１６１４は送信リソースＴｒａｎｓ．３に対応し、第１セグメント１６０５の何れのコンポーネントも送信リソースＴｒａｎｓ．２において発生しない。他の具体例では、各種シンボルＳ１，Ｓ２，Ｓ３，Ｓ４はまた、同一の送信Ｔｒａｎｓ．１には配置されず、異なる送信間に拡散されてもよい。同様に、それら各自の共役又は負は、必ずしもすべてが同一の送信Ｔｒａｎｓ．３に配置されなくてもよい。このようなケースでは、シンボルＳ１，Ｓ２，Ｓ３，Ｓ４は、送信（時間など）及び空間ダイバーシチを確保するため、それらの共役又は負の共役として異なる送信及びアンテナＴｒａｎｓ．ｉ上にあるべきである。
【００６７】
図１５に示されるマッピングテーブル１５００に従って、第１の再送を超えて、テーブル１に規定される２つのＳＴＣコードマッピングが、データパケットが受信機において復号化に成功するまで再送するのに交互に利用されてもよい。例えば、シンボルＳ１，Ｓ２，Ｓ３，Ｓ４は、（おそらく他の情報のうち）ＨＡＲＱ再送を含むものであってもよい。
【００６８】
図１７Ａは、本例では４つのセル（個々のセルは図示せず）の４つの象限である４つのセグメント１７０５，１７１０，１７１５，１７２０に分割されるマッピングテーブル１７００を示す。以下でより詳細に説明されるように、各セグメント１７０５，１７１０，１７１５，１７２０が、Ａｌａｍｏｕｔｉコードパターンに続くシンボルにより占有されるが、セグメント単位のレベルで適用される。
【００６９】
図１７Ｂは、図示される各セグメント１７０５，１７１０，１７１５，１７２０のコンテンツを有するマッピングテーブル１７００を示す。図示されるように、各セグメント１７０５，１７１０，１７１５，１７２０は、４つのコンポーネントを有する。例えば、セグメント１７０５は、４つのシングルシンボルコンポーネント１７０６，１７０７，１７０８，１７０９を有する。
【００７０】
これらのセグメント１７０５，１７１０，１７１５，１７２０は一緒になって、より大きなセグメント１７２５を構成するとみなすことが可能である。より小さなセグメント１７０５，１７１０，１７１５，１７２０とより小さなセグメントから構成されるより大きなセグメント１７２５とを区別するため、セグメント１７０５，１７１０，１７１５，１７２０はプライマリセグメントと呼ばれ、セグメント１７２５はセカンダリセグメントと呼ばれてもよい。本例では、セカンダリセグメント１７２５は、マッピングテーブル１７００の全コンテンツを構成するが、他の例では、各セグメントがプライマリセグメントから構成される複数のセカンダリセグメントがあってもよい。
【００７１】
セカンダリセグメント１７２５は、本例ではプライマリセグメント１７０５，１７１０，１７１５，１７２０である４つのサブセグメントから構成される。これらは、セカンダリセグメント１７２５のマルチシンボルコンポーネントである。本例では、プライマリセグメント１７０５，１７１０，１７１５，１７２０は、セカンダリセグメント１７２５の象限である。マッピングテーブル１７００は、シンボルにより占有される。（簡単化のため、これらのシンボルは、ここではＡ，Ｂ，Ｃ，Ｄ，Ｅ，Ｆ，Ｇ，Ｈ及びこれらの負の共役として表される。しかしながら、各プライマリセグメントのシンボルのより詳細な説明は、プレースホルダラベルＡ，Ｂ，Ｃ，．．．がより具体的なシンボルラベルと置換された図１７Ｃを参照してさらに提供される。より詳細には、マッピングテーブル１７００は、プライマリセグメント１７０５，１７１０，１７１５，１７２０のセグメントレベルＡｌａｍｏｕｔｉコードを形成するようにして占有される。Ａｌａｍｏｕｔｉコードのパターンをセグメントに適用する何れか適切な方法が、セグメントレベルＡｌａｍｏｕｔｉコードのパターンを導出するのに利用されてもよい。本例では、セグメントレベルＡｌａｍｏｕｔｉコードのパターンは、プライマリセグメント１７１５のシンボルがプライマリセグメント１７１０のシンボルの負の共役であり、プライマリセグメント１７２０のシンボルがプライマリセグメント１７０５のものと同じになるようにされる。
【００７２】
本例では、Ａｌａｍｏｕｔｉコードは、セカンダリセグメント１７２５のシンボルがあるパターンに従っていることを保証することによって、セグメントレベルにより実現される。Ａｌａｍｏｕｔｉコードから導出される他のパターンがまた利用可能であることが理解されるべきである。例えば、プライマリセグメント１７０５を複製するのでなく、プライマリセグメント１７２０のシンボルがプライマリセグメント１７０５のシンボルの共役とすることも可能である。あるいは、一部のプライマリセグメントのシンボルは、転置演算、共役転置又は他の変換など、他のプライマリセグメントに対するマトリクス演算の結果を表すものであってもよい。また、それらの基礎に関する共役又は負の共役の位置が反転可能であることが理解されるべきである。Ａｌａｍｏｕｔｉパターンに基づく何れかのＡｌａｍｏｕｔｉベースコードがシンボルレベルとセグメントレベルとの双方において利用されてもよいことが理解されるべきである。
【００７３】
プライマリセグメント１７０５，１７１０，１７１５，１７２０の間の関係を記述するため、それらのシンボルはＡ，Ｂ，Ｃ，Ｄ，Ｅ，Ｆ，Ｇ，Ｈ及びこれらの負の共役として表された。しかしながら、各プライマリセグメント１７０５，１７１０，１７１５，１７２０の実際のコンテンツは、図１７Ｃに示されるように、Ａｌａｍｏｕｔｉコードのパターンに従うようにしてもよい。図１７Ｃにおいて、ラベルＡ，Ｂ，Ｃ，Ｄ，Ｅ，Ｆ，Ｇ，Ｈがそれぞれ、Ｓ１，Ｓ２，Ｓ３，Ｓ４，Ｓ５，Ｓ６，Ｓ７，Ｓ８と置換された。図示されるように、プライマリセグメント１７０５，１７１０，１７１５，１７２０は、Ａｌａｍｏｕｔｉコードを構成してもよい。例えば、プライマリセグメント１７０５は、コンポーネント１７０６にＳ１を有し、コンポーネント１７０７にＳ２を有し、コンポーネント１７０８に−Ｓ２＊を有し、コンポーネント１７０９にＳ１＊を有し、これによりＡｌａｍｏｕｔｉコードを形成する。Ａｌａｍｏｕｔｉコードパターンはまた他のプライマリセグメントに存在することが理解されるであろう。
【００７４】
従って、セグメントレベルＡｌａｍｏｕｔｉコードを規定するセカンダリセグメント１７２５は、それ自体がＡｌａｍｏｕｔｉコードを規定するサブセグメントを有する。これは、ネスト化されたＡｌａｍｏｕｔｉコードのパターンを生じさせる。
【００７５】
マッピングテーブル１７００のシンボルはシンボルレベルＡｌａｍｏｕｔｉコード（セグメント１７０５，１７１０，１７１５，１７２０に規定される）の一部と、セグメントレベルＡｌａｍｏｕｔｉコード（セグメント１７２５に規定される）とを形成し、セグメントレベルでは、シンボルレベルＡｌａｍｏｕｔｉ方式から逸脱し始めていることが理解されるであろう。
【００７６】
従って、マッピングテーブル１７００は、４つのシンボルＳ１，Ｓ２，Ｓ３，Ｓ４の信頼できる送信のため利用可能である。マッピングテーブル１７００により規定される送信方式は、シンボルＳ１，Ｓ２，Ｓ３，Ｓ４を送信するための何れか適切な方法により利用可能である。例えば、各送信リソースＴｒａｎｓ．１，Ｔｒａｎｓ．２，Ｔｒａｎｓ．３，Ｔｒａｎｓ．４は、必ずしも実行されてもされなくてもよい個別送信とみなされてもよい。例えば、送信リソースＴｒａｎｓ．１，Ｔｒａｎｓ．２，Ｔｒａｎｓ．３，Ｔｒａｎｓ．４が別々の時間インターバルである場合、シンボルＳ１，Ｓ２，Ｓ３，Ｓ４を送信するための方式は、それら各自の時間において図１７Ｃに示される４つすべての送信を連続的に行うことに関するものであってもよい。
【００７７】
あるいは、マッピングテーブル１７Ｃは、送信失敗のイベントに続く再送方式として利用されてもよい。このようなケースでは、第１の送信は送信リソースＴｒａｎｓ．１を用いて実行されてもよい。送信が成功した場合、マッピングテーブルに示される残りの送信は全く行われなくてもよい。第１の送信が不成功であった場合、又は成功したことが確認できない場合、第２の送信が送信リソースＴｒａｎｓ．２のマッピングに続いて行われてもよい。これはまた、一度に複数の送信により実行されてもよく、これにより、複数の送信リソースにおける複数の送信がマッピングテーブルに従って行われ、これら複数の送信が不成功であった場合に限って、マッピングテーブルに従ってさらなる送信リソースにおけるさらなる送信が実行される。このパターンは、送信が成功するまで又はテーブルの最後尾に到達するまで繰り返されてもよく、当該時点において、テーブルの先頭から再びスタートすることによってさらなる試行が可能であるか、又は送信が失敗したと判断されてもよい。送信リソースは時間以外のリソースとすることが可能であるため、以降の送信／再送は他のフレームにおいて実行可能である。
【００７８】
任意的には、所定の送信パターンの繰り返しは、送信リソースのさらなる行を提供し、それらを送信パターンの繰り返しにより占有することによって、テーブルに組み込まれてもよい。図２０は、２つの同一のセグメント２０２５，２０３５のブロック２０４０を有するマッピングテーブル２０００を示す。送信リソースが時間インターバルである具体例では、セグメント２０２５に、それ自体の同一のコピーであるセグメント２０３０が続く。
【００７９】
図１７Ａ〜１７Ｃの具体例では、マッピングテーブルは１つのセカンダリセグメント１７２５を有する。マッピングテーブルは複数のセカンダリセグメント１７２５を有してもよいことが理解されるべきである。さらに、以下でより十分に説明されるように、マッピングテーブルはネスト化されたＡｌａｍｏｕｔｉコードのさらなるレイヤを有してもよい。
【００８０】
マッピングテーブル１７００は、アンテナＴｘ−１，Ｔｘ−２，Ｔｘ−３，Ｔｘ−４の個数に一致する４つのシンボルＳ１，Ｓ２，Ｓ３，Ｓ４から導出されるシンボルから構成されたが、このようなシンボル数とアンテナ数との一致は必ずしも必要であるとは限らないことが理解されるべきである。例えば、マッピングテーブルは、アンテナより少ないシンボルから構成されてもよい。さらなるアンテナが、送信シンボルのさらなる又は変更されたコピー（例えば、共役及び／又は負）を送信するのに利用されてもよい。
【００８１】
図１８は、８つのアンテナＴｘ−１，．．．，Ｔｘ−８を介し送信するための送信方式のためのマッピングテーブル１８００を示す。本例では、マッピングテーブル１８００のシンボルはすべて４つのシンボルＳ１，Ｓ２，Ｓ３，Ｓ４から導出される。図示されるように、本例では、マッピングテーブルは、セカンダリセグメント１８２５，１８３０，１８３５，１８４０から構成される第３のセグメント１８５０を有する。
【００８２】
図示されるように、セカンダリセグメント１８２５は、図１７Ｃの具体例のセカンダリセグメント１７２５と同じシンボルから構成される。すなわち、セカンダリセグメント１７２５と同様に、セカンダリセグメント１８２５は、それぞれが４つのシングルシンボルコンポーネントを有し、Ａｌａｍｏｕｔｉコードを構成する４つのプライマリセグメント１８０５，１８１０，１８１５，１８２０を有する。セカンダリセグメント１８２５内のプライマリセグメント１８０５，１８１０，１８１５，１８２０は一緒になって、セカンダリセグメント１７２５のプライマリセグメント１７０５，１７１０，１７１５，１７２０と同様に、セグメントレベルＡｌａｍｏｕｔｉコードを形成する。８つのアンテナがあるため、８つのシンボルが送信リソース毎に送信可能である。従って、送信リソースＴｒａｎｓ．ｉ毎に８つのシンボルセルがある。これら８つのセルは、セカンダリセル１８２５のコピーであるセカンダリセル１８３０を有するマッピングテーブルを提供することによって充填される。このため、セカンダリセル１８３０はまた、それ自体がＡｌａｍｏｕｔｉコードであるセグメントレベルＡｌａｍｏｕｔｉコードに配置されたプライマリセグメントから構成される。
【００８３】
セカンダリセグメント１８３５，１８４０は、セカンダリセグメント１８２５，１８３０，１８３５，１８４０が（セカンダリ）セグメントレベルＡｌａｍｏｕｔｉコードを構成するようにされる。また、第３のセグメント１８５０自体が、セグメントレベルＡｌａｍｏｕｔｉコードを規定する（セカンダリセグメントレベルにおいて）。従って、３つのレイヤのネスト化されたＡｌａｍｏｕｔｉコードがあり、プライマリセグメントはＡｌａｍｏｕｔｉコードであり、セカンダリセグメントがセグメントレベルＡｌａｍｏｕｔｉコードであり（プライマリレベルにおいて）、第３セグメントはセグメントレベルＡｌａｍｏｕｔｉコードである（セカンダリレベルにおいて）。セカンダリセグメント１８３５，１８４０はまたセグメントレベルＡｌａｍｏｕｔｉコードであり、それらはそれ自体がＡｌａｍｏｕｔｉコードである４セルプライマリセグメントに分割可能であることに留意されたい。従って、Ａｌａｍｏｕｔｉコードのネスト化は、下位レイヤのＡｌａｍｏｕｔｉコードを保持するようにしてもよい。
【００８４】
上記の例では、マッピングテーブル１８００のシンボルはすべて４つのシンボルＳ１，Ｓ２，Ｓ３，Ｓ４から導出される。このようなＡｌａｍｏｕｔｉコードのトリプルネスト化はまた他の個数のシンボルにより実行可能であることが理解されるであろう。例えば、８つのシンボルＳ１，Ｓ２，Ｓ３，Ｓ４，Ｓ５，Ｓ６，Ｓ７，Ｓ８は、上述されたＡｌａｍｏｕｔｉコードのパターンに続くマッピングテーブルの残りによって、第１送信リソースＴｒａｎｓ．１を構成可能である。このような場合、セカンダリセグメント１８３０は、セカンダリセグメント１８２５と同一でなく、むしろシンボルＳ５，Ｓ６，Ｓ７，Ｓ８とそれらの共役及び／又は負を有するであろう。
【００８５】
プライマリセグメントに関して上述されるように、セカンダリセグメントはまた連続している必要はないことが理解されるべきである。さらに、セグメントは隣接している必要はない。さらに、Ａｌａｍｏｕｔｉコード及びセグメントレベルＡｌａｍｏｕｔｉコードは、それらの一部を取り除くよう切り取ることが可能である。例えば、図１７Ａを参照し、セカンダリセグメント１７２５は一緒になってセグメントレベルＡｌａｍｏｕｔｉコードを形成する４つすべてのプライマリセグメント１７０５，１７１０，１７１５，１７２０を有するが、セカンダリセグメントはセグメントレベルＡｌａｍｏｕｔｉコード全体の一部のみを有してもよいことが理解されるべきである。完全なセグメントレベルＡｌａｍｏｕｔｉコードの一部のシンボルは、例えば、図１９に示されるように、部分的に充填されたマトリクスを生成するため、セカンダリセグメントから削除又は省略されてもよい。本例では、セグメント１７１０，１７１５は、部分的に充填されたマトリクスを生成するため削除された。図示されるように、図１９のマッピングテーブル１９００は、パーシャルセグメントレベルＡｌａｍｏｕｔｉコードであるセグメントレベルＡｌａｍｏｕｔｉコードを規定するセカンダリセグメント１９２５においてこのような部分的に充填されたマトリクスを有する。セカンダリセグメント１９２５の部分的に充填されたマトリクスはエンプティセルを有するが、他の実施例では、これらのセルはパーシャルＡｌａｍｏｕｔｉコードの一部を形成しない他のシンボルにより充填可能であることが理解されるべきである。あるシンボルが省略されたパーシャルシンボルレベルＡｌａｍｏｕｔｉコードがまた、例えば、以前に送信されたシンボルの一部が適切に受信され、再送される必要がない再送のケースなどにおいても利用されてもよいことが理解されるであろう。
【００８６】
本出願の上述された実施例は、単なる具体例であることが意図される。当業者は、本出願の範囲から逸脱することなく特定の実施例に変更、改良及び変形を実行してもよい。
【図１】
2013509742.tif 000003
【図２】
2013509742.tif 000004
【図３】
2013509742.tif 000005
【図４】
2013509742.tif 000006
【図５】
2013509742.tif 000007
【図６】
2013509742.tif 000008
【図７】
2013509742.tif 000009
【図８】
2013509742.tif 000010
【図９】
2013509742.tif 000011
【図１０】
2013509742.tif 000012
【図１１】
2013509742.tif 000013
【図１２】
2013509742.tif 000014
【図１３】
2013509742.tif 000015
【図１４】
2013509742.tif 000016
【図１５】
2013509742.tif 000017
【図１６】
2013509742.tif 000018
【図１７Ａ】
2013509742.tif 000019
【図１７Ｂ】
2013509742.tif 000020
【図１７Ｃ】
2013509742.tif 000021
【図１８】
2013509742.tif 000022
【図１９】
2013509742.tif 000023
【図２０】
2013509742.tif 000024
【国際調査報告】
2013509742.tif 000025
2013509742.tif 000026